(57)【要約】      （修正有） 【課題】比較的暗い場所に設置した場合であってもポスターを目立たせることができ、且つ、興趣に富んだ装飾効果が得られ、観者に意外性を与えることができるポスター掲示用パネルを提供する。【解決手段】発光体を備えた枠体部１２と枠体部内方に設けられたポスター掲示部１３とから形成されたパネル本体１４を備えたポスター掲示用パネル１０であって、枠体部は所定の厚さ寸法を有し、内側端面に発光体が配された外枠体部と、外枠体部と所定間隔を隔てて内方に設けられた内枠体部とから形成され、枠体部の表面にはマジックミラー部が配設されると共に、裏面には表面側に光を反射する板状の反射板部が配設されている。【選択図】図１
0003199342.tif 000002
【実用新案登録請求の範囲】
【請求項１】
発光体を備えた枠体部と前記枠体部内方に設けられたポスター掲示部とから形成されたパネル本体を備えたポスター掲示用パネルであって、
前記枠体部は所定の厚さ寸法を有し、内側端面に前記発光体が配された外枠体部と、前記外枠体部と所定間隔を隔てて内方に設けられた内枠体部とから形成され、前記枠体部は、表面にはマジックミラー部が配設されると共に、裏面には表面側に光を反射しうる板状の反射板部が配設されていることを特徴とするポスター掲示用パネル。
【請求項２】
前記パネル本体は、平面長方形板状に形成され、前記枠体部及び前記ポスター掲示部は、同一平面上に形成されており、前記内枠体部の外側端面は、表面側を向くように、前記外枠体部の内側端面に対して、所定角度の傾斜が形成されて設けられており、前記内枠体部の外側端面には、反射用ミラーが配設されていることを特徴とする請求項１に記載のポスター掲示用パネル。
【請求項３】
前記ポスター掲示部は、前記パネル本体の平面方向内方に形成されるポスター掲示部本体部と、前記ポスター掲示部本体部とは別体に形成され、透明性を有しポスターを表面側より保持しうるポスター押え板部と、前記ポスター押え板部を、前記ポスター掲示部本体部に固定しうるネジ部とを備えていることを特徴とする請求項２に記載のポスター掲示用パネル。
【請求項４】
前記マジックミラー部及び前記反射板部は、長方形状に形成され、前記反射板部は、板状体にミラーシートを貼着して形成されており、ポスター掲示部本体部を形成する前記マジックミラー部と前記反射板部との間の間隙には導光板が設けられており、前記内枠体部の内側端面には、前記導光板の面方向内方へ向かって光を照射しうる発光体が配設されていることを特徴とする請求項３に記載のポスター掲示用パネル。
【請求項５】
前記パネル本体の背面部には、前記パネル本体を床面に立設状態に支持するための支持部が設けられていることを特徴とするポスター掲示用パネル。
【請求項６】
前記ミラーシートは、光を透過しない全反射のミラーシートであることを特徴とする請求項４に記載のポスター掲示用パネル。
【請求項７】
前記所定角度は、４５度であることを特徴とする請求項２に記載のポスター掲示用パネル。
【考案の詳細な説明】
【技術分野】
【０００１】
本考案は、発光体を備えたポスター掲示用パネルの改良に関するものである。
【背景技術】
【０００２】
従来より、広告或いは宣伝用のポスターを掲示用パネルに固定した状態において、店先や店内に掲示することにより、集客効果を高めるといったことが行われている。
【０００３】
一方で、このような広告又は宣伝用のポスターを掲示する場合には、より多くの人の目に触れて、興味を持ってもらうことが重要であるが、例えば、遊技場等の比較的室内の照度の小さい場所においては、ポスターを掲示した掲示用パネルが目立たず、意図した集客効果が得られないという不具合があった。
【０００４】
前述のように掲示用パネルにポスターを掲示する場合、掲示用パネル表面にポスターを固定する場合、掲示用パネルの中央部にはポスターが固定され、周縁部分が露出して視認できる状態となるため、掲示用パネルの周縁部分に発光体を備えた場合には、比較的室内の照度の小さい場所に掲示する場合や、屋外に設置され日が陰り周辺が暗い場所でも、発光によりポスターを強調して掲示することが可能となる。
【０００５】
このような掲示用パネルとしては、特許文献１のようなポスター掲示用パネルが提案されている。特許文献１のポスター掲示用パネルは、ポスターを係止する基台と、基台の周縁に位置する透明体との間隙にＬＥＤ発光体群が埋設されており、裏面側外縁にはテーパ面が設けられている。
【０００６】
特許文献１のポスター掲示用パネルは、ＬＥＤ発光体群を発光させた際には、光は透明体の内部を通過して裏面側外縁に設けられたテーパ面で乱反射されることにより、観者にポスター掲示用パネルの輪郭が光源であるかのような錯覚を与えることができ、店舗においては、客の視線を集めることができる。
【０００７】
しかしながら、特許文献１のポスター掲示用パネルは、輪郭に沿って光らせて、ポスターを強調して掲示することはできるが、興趣に富んだ装飾効果が得られ、観者に意外性を与えて、観者の目を惹きつけることができるものではなかった。
【特許文献１】登録実用新案第３１８８３９２号公報
【考案の開示】
【考案が解決しようとする課題】
【０００８】
そこで、本考案は、このような従来の要請に基づくものであって、比較的暗い場所に設置した場合であってもポスターを目立たせることができ、且つ、興趣に富んだ装飾効果が得られ、観者に意外性を与えることができるポスター掲示用パネルを提供することを課題とする。
【課題を解決するための手段】
【０００９】
前記課題を解決するために、請求項１に記載のポスター掲示用パネルにあっては、発光体を備えた枠体部と前記枠体部内方に設けられたポスター掲示部とから形成されたパネル本体を備えたポスター掲示用パネルであって、前記枠体部は所定の厚さ寸法を有し、内側端面に前記発光体が配された外枠体部と、前記外枠体部と所定間隔を隔てて内方に設けられた内枠体部とから形成され、前記枠体部は、表面にはマジックミラー部が配設されると共に、裏面には表面側に光を反射しうる板状の反射板部が配設されていることを特徴とする。
【００１０】
従って、請求項１に記載のポスター掲示用パネルにあっては、枠体部は、内側端面に発光体が配された外枠体部と、外枠体部と所定間隔を隔てて内方に設けられた内枠体部とから形成され、表面にはマジックミラー部が配設されると共に、裏面には表面側に光を反射しうる板状の反射板部が配設されているため、発光体を点灯した際には、光は、裏面では反射板部で反射され、表面では一部が透過して、残りは反射されながら、内枠体部方向へと進行する。
【００１１】
光は、表面側に一部が透過しながら進行するため、光源から遠ざかるにつれて、即ち、外枠体部から内枠体部に近づくにつれて徐々に弱くなる。例えば、発光体にＬＥＤチップを用いた場合には、ＬＥＤチップより照射された光が点状に映り、点状の光は、外枠体部から遠ざかるにつれて暗くなり、小さくなる。
【００１２】
請求項２に記載のポスター掲示用パネルにあっては、前記パネル本体は、平面長方形板状に形成され、前記枠体部及び前記ポスター掲示部は、同一平面上に形成されており、前記内枠体部の外側端面は、表面側を向くように、前記外枠体部の内側端面に対して、所定角度の傾斜が形成されて設けられており、前記内枠体部の外側端面には、反射用ミラーが配設されていることを特徴とする。
【００１３】
従って、請求項２に記載のポスター掲示用パネルにあっては、前記内枠体部の外側端面は、表面側を向くように、前記外枠体部の内側端面に対して、所定角度の傾斜が形成されて設けられており、前記内枠体部の外側端面には、反射用ミラーが配設されているため、発光体を点灯した際には、内枠体部の外側端面に到達した光は、外側端面の所定角度に応じてパネル本体の表面側へ反射される。
【００１４】
また、前記枠体部及び前記ポスター掲示部は、同一平面上に形成されていることから、例えば、一枚の平板状のマジックミラーで連続して形成することができる。
【００１５】
請求項３に記載のポスター掲示用パネルにあっては、前記ポスター掲示部は、前記パネル本体の平面方向内方に形成されるポスター掲示部本体部と、前記ポスター掲示部本体部とは別体に形成され、透明性を有しポスターを表面側より保持しうるポスター押え板部と、前記ポスター押え板部を、前記ポスター掲示部本体部に固定しうるネジ部とを備えていることを特徴とする。
【００１６】
従って、請求項３に記載のポスター掲示用パネルにあっては、ポスターを掲示する際には、ポスター掲示部本体部にポスターを載置して、ポスターの表面側より、ポスター押え板部を重ねた状態において、ネジ部によって固定することができる。
【００１７】
請求項４に記載のポスター掲示用パネルにあっては、前記マジックミラー部及び前記反射板部は、長方形状に形成され、前記反射板部は、板状体にミラーシートを貼着して形成されており、ポスター掲示部本体部を形成する前記マジックミラー部と前記反射板部との間の間隙には導光板が設けられており、前記内枠体部の内側端面には、前記導光板の面方向内方へ向かって光を照射しうる発光体が配設されていることを特徴とする。
【００１８】
従って、請求項４に記載のポスター掲示用パネルにあっては、ポスター掲示部本体部を形成する前記マジックミラー部と前記反射板部との間の間隙には導光板が設けられており、前記内枠体部の内側端面には、前記導光板の面方向内方へ向かって光を照射しうる発光体が配設されていることから、例えば、内枠体部を長方形状に形成し、一辺の全域に発光体を配列して点灯した際には、パネル本体の表面側からの視点においてポスター掲示部本体部の全体が光るように見える。
【００１９】
また、前記反射板部は、板状体にミラーシートを貼着して形成されていることから、例えば、板状体に金属板を使用した場合には、鏡面加工したガラスを用いる場合よりも、外部からの接触等に対して破損しにくい。
【００２０】
請求項５に記載のポスター掲示用パネルにあっては、前記パネル本体の背面部には、前記パネル本体を床面に立設状態に支持するための支持部が設けられていることを特徴とする。
【００２１】
従って、請求項５に記載のポスター掲示用パネルにあっては、前記パネル本体の背面部を支持部により支持して床面に立設することができる。
【００２２】
請求項６に記載のポスター掲示用パネルにあっては、前記ミラーシートは、光を透過しない全反射のミラーシートであることを特徴とする。
【００２３】
従って、請求項６に記載のポスター掲示用パネルにあっては、前記ミラーシートは、光を透過しない全反射のミラーシートであることから、光が内枠体部の外側端面へと到達する過程における光の損失が小さく、発光体からの光量が同じある場合、より多くの光量をパネル本体の表面側から放出することができる。
【００２４】
請求項７に記載のポスター掲示用パネルにあっては、前記所定角度は、４５度であることを特徴とする。
【００２５】
従って、所定角度は、４５度であることから、発光体から照射される光のうち、内枠体部の外側端面へと直進する光は、内枠体部の外側端面の反射用ミラーによって、パネル本体の表面側に反射されるため、内枠体部の外側端面において、より多くの光量をパネル本体の表面側から放出することができる。
【考案の効果】
【００２６】
請求項１に記載のポスター掲示用パネルにあっては、枠体部内方に設けられたポスター掲示部にポスターを掲示することができると共に、枠体部には発光体が備えられていることから、比較的暗い場所に設置した場合であってもポスターを目立たせることができる。
【００２７】
また、枠体部は、例えば、発光体にＬＥＤチップを用いた場合には、ＬＥＤチップより照射された光が点状に映り、点状の光は、外枠体部から遠ざかるにつれて暗くなり、小さくなるように映ることから、外枠体部から内枠体部にかけて、枠体部の奥行方向に、点状の光が続いていくように観えるという興趣に富んだ装飾効果が得られ、観者に意外性を与えることができ、より高い広告宣伝効果を得ることができる。
【００２８】
請求項２に記載のポスター掲示用パネルにあっては、発光体を点灯した際には、内枠体部の外側端面に到達した光は、外側端面の所定角度に応じてパネル本体の表面側へ反射されるため、例えば、ＬＥＤのように比較的直進性の高い発光体を用いた場合、内枠体部の外側端面に到達する光の量が多くなるため、内枠体部の外側端面周縁をより明るく表示することができる。
【００２９】
請求項３に記載のポスター掲示用パネルにあっては、ポスターを掲示する際には、ポスター掲示部本体部にポスターを載置して、ポスターの表面側より、ポスター押え板部を重ねた状態において、ネジ部によって固定することができるため、ポスターの脱落を防止し確実に掲示することができる。
【００３０】
また、例えば、ポスター押え板部をポスターよりも大きい寸法に形成することにより、ポスター周縁部のめくれあがりを防止することができ、長期に亘り掲示した際にも、より美感に優れた掲示ができる。
【００３１】
請求項４に記載のポスター掲示用パネルにあっては、例えば、内枠体部を長方形枠状に形成し、一辺の全域に発光体を配列して点灯した際には、パネル本体の表面側からの視点においてポスター掲示部本体部の全体が光るように見えるため、ポスター掲示部本体部にポスターを固定して掲示した際には、ポスターが光により強調されるため、より高い広告宣伝効果を得ることができる。
【００３２】
請求項５に記載のポスター掲示用パネルにあっては、前記パネル本体の背面部を支持部により支持して床面に立設することができるため、壁等の支持体がなくとも立設することができ、屋内屋外の場所を問わず設置することができる。
【００３３】
請求項６に記載のポスター掲示用パネルにあっては、より多くの光量をパネル本体の表面側から放出することができるため、暗所等においては、より目立ち効果的に広告宣伝効果を得ることができる。
【００３４】
請求項７に記載のポスター掲示用パネルにあっては、内枠体部の外側端面において、より多くの光量をパネル本体の表面側から放出することができるため、よりポスターに近い内枠体部を強調して発光させることができ、効果的に広告宣伝効果を得ることができる。
【図面の簡単な説明】
【００３５】
【図１】図１は、本考案に係るポスター掲示用パネルの一実施の形態を示した斜視図である。
【図２】図２は、本考案に係るポスター掲示用パネルの一実施の形態を示し、は図１のＩＩ−ＩＩ線断面図である。
【図３】図３は、本考案に係るポスター掲示用パネルの一実施の形態を示し、は図１のＩＩＩ−ＩＩＩ線断面図である。
【考案を実施するための最良の形態】
【００３６】
以下、本考案に係るポスター掲示用パネルを実施の形態に基づき、図面を参照して詳細に説明する。
【００３７】
図１及び図２に示すように、本実施の形態に係るポスター掲示用パネル１０は、発光体１１を備えた枠体部１２と枠体部１２内方に設けられたポスター掲示部１３とから形成されたパネル本体１４を備えている。パネル本体１４の背面部２２には、パネル本体１４を床面に立設状態に支持するための支持部２３が設けられている。発光体１１は、ＬＥＤである。
【００３８】
図１に示すように、本実施の形態においては、枠体部１２は、パネル本体１４の周縁において長方形枠状に形成されており、ポスター掲示部１３は、枠体部１２の平面方向内方に形成されている。
【００３９】
支持部２３は、パネル本体１４の背面部２２に備えられた支持枠部３８を介して配設されており、支持部２３は、枠状に形成されて、背面部２２に対して所定の角度を保持できるようにヒンジ３４により回動可能に固定されている。
【００４０】
図２に示すように、枠体部１２は所定の厚さ寸法を有し、内側端面１５にＬＥＤ１１が配された外枠体部１６と、外枠体部１６と所定間隔を隔てて内方に設けられた内枠体部１７とから形成されている。ＬＥＤ１１は、ＬＥＤ１１の素子が断続的に配置されたＬＥＤテープを用いており、内側端面１５全周に亘って貼着されている。
【００４１】
外枠体部１６は、ＭＤＦにより断面長方形状に形成されており、内枠体部１７は、発泡成形されたスチレン製シートを用いている。本実施の形態にあっては、外枠体部１６及び内枠体部１７の厚さ寸法は其々１２ｍｍに形成されている。
【００４２】
図２に示すように、枠体部１２は、表面にはマジックミラー部１８が配設されると共に、裏面には表面側に光を反射しうる板状の反射板部１９が配設されている。外枠体部１６の内側端面１５は、マジックミラー部１８と反射板部１９に対して９０度の角度で平面に形成されている。
【００４３】
マジックミラー部１８は、厚さ寸法１ｍｍに形成された透明な硬質塩化ビニルシートにマジックミラーシートを貼着して形成されている。ここで、マジックミラーシートとは、入射した光の一部を透過し、残りを反射する性質を備えたものである。
【００４４】
図２に示すように、パネル本体１４は、平面長方形板状に形成され、枠体部１２及びポスター掲示部１３は、同一平面上に形成されており、内枠体部１７の外側端面２０は、表面側を向くように、外枠体部１６の内側端面１５に対して、４５度の角度ａに傾斜が形成されて設けられており、内枠体部１７の外側端面２０には、反射用ミラー２１が配設されている。
【００４５】
本実施の形態においては、マジックミラー部１８及び反射板部１９は、平面板状に形成され、外枠体部１６は、マジックミラー部１８及び反射板部１９と同じ長さ寸法と幅寸法を備えている。また、反射用ミラー２１は、硬質塩化ビニルシートにマジックミラーシートを貼着して形成されている。
【００４６】
図２に示すように、パネル本体１４は、枠体部１２を、マジックミラー部１８及び反射板部１９によって厚さ方向外方から挟み込んで接着固定されることにより、形成されている。
【００４７】
ポスター掲示部１３は、パネル本体１４の平面方向内方に形成されるポスター掲示部本体部２４と、ポスター掲示部本体部２４とは別体に形成され、透明性を有しポスターを表面側より保持しうるポスター押え板部２５と、ポスター押え板部２５を、ポスター掲示部本体部２４に固定しうるネジ部３２とを備えている。
【００４８】
図３に示すように、ネジ部３２は、ネジ部頭部３３とネジ部頭部３３よりも径小に形成されネジ溝が設けられたネジ部胴部３５とから形成されている。ポスター掲示部本体部２４には、四隅にネジ部胴部３５を締付可能なネジ穴部３９が形成されている。ポスター押え板部２５には、四隅にネジ部胴部３５の直径よりも大きく、ネジ部頭部３３の直径よりも小さい径に形成されたネジ止め用孔部４０が形成されている。
【００４９】
図２及び図３に示すように、本実施の形態においては、ポスター押え板部２５は、透明の硬質塩化ビニルシートであり、平面長方形状に形成され、ポスター２６よりもやや大きい長さ寸法及び幅寸法に形成されている。また、ネジ部３２は、周囲を金属で装飾された化粧ネジである。
【００５０】
マジックミラー部１８及び反射板部１９は、長方形状に形成され、反射板部１９は、板状体にミラーシートを貼着して形成されており、ポスター掲示部本体部２４を形成するマジックミラー部１８と反射板部１９との間の間隙には導光板２７が設けられており、内枠体部の内側端面２８には、導光板２７の面方向内方へ向かって光を照射しうる発光体２９が配設されている。
【００５１】
本実施の形態においては、前記板状体はアルミ複合板であると共に、前記ミラーシートは光を透過しない全反射のミラーシートであり、ミラーシートは、アルミ複合板の枠体部１２と面する側に貼着されている。
【００５２】
図２及び図３に示すように、発光体２９はＬＥＤであり、導光板２７は厚さ寸法４ｍｍのアクリル板で形成されている。内枠体部１７の内方には、反射板部１９上に厚さ寸法７ｍｍに形成された嵩上げ用の発泡成形されたスチレンシート３０が敷き詰められている。
【００５３】
導光板２７は、内枠体部１７の内周面よりもやや小さい長さ寸法及び幅寸法に形成されると共に、内枠体部の内側端面２８には、ＬＥＤ２９の素子が断続的に配置されたＬＥＤテープが内枠体部の内側端面２８全周に亘って貼着されている。
【００５４】
また、背面部２２には、ケーブル部（図示せず）が備えられており、ケーブル部（図示せず）先端には電源接続部（図示せず）が備えられており、コンセントに接続され、電気をＬＥＤ１１，２９へ供給している。
【００５５】
以下、本実施の形態に係るポスター掲示用パネル１０の作用について、図面を参照して詳細に説明する。
【００５６】
本実施の形態に係るポスター掲示用パネル１０は、以上のような構成を備えることから、使用する際には、パネル本体１４を水平に置き、ポスター掲示部本体部２４にポスター２６を載置する。
【００５７】
次に、ポスター２６の上面より、ポスター押え板部２５を載置してポスター２６をポスター掲示部本体部２４とポスター押え板部２５とにより挟持する。
【００５８】
この状態において、図３に示すように、ポスター掲示部本体部２４に形成されたネジ穴部３９とネジ止め用孔部４０とを位置合わせし、ネジ部３２を締め付けることにより、ポスター押え板部２５は、ネジ部頭部３３によってポスター掲示部本体部２４側に押圧され、ポスター掲示部本体部２４とポスター押え板部２５により挟持されたポスター２６はしっかりと固定される。
【００５９】
前記のようにポスター２６が固定された後、図１に示すように、ポスター掲示用パネル１０を垂直に立て、支持部２３を回動してパネル本体１４と所定の角度を形成するように開いて保持し、支持部の下端部３６とパネル本体の下端部３７とにより床面に立設させる。
【００６０】
最後に、電源より電気を供給して各ＬＥＤ１１，２９を点灯する。ＬＥＤ１１を点灯することにより、光は、パネル本体１４の裏面では反射板部１９のミラーシートで反射され、表面では一部が透過して、残りは反射されながら、内枠体部１７方向へと進行する。
【００６１】
前述のように光は、表面側に一部透過しながら進行するため、光源から遠ざかるにつれて、即ち、内枠体部１７に近づくにつれて弱くなる。従って、枠体部１２は表面側より見た際には、ＬＥＤ１１の素子より照射された光が内枠体部１７に向って断続的な点状に映り、点状の光は、外枠体部１６から遠ざかるにつれて暗くなり、小さくなるように映るため、外枠体部１６から内枠体部１７にかけて、枠体部１２の奥行方向に点状の光が続いていくように観える。
【００６２】
このような現象は、一般にＬＥＤブラックホール現象と称され、観者には、星に見立てた点状の光が、暗黒の宇宙に吸い込まれていくかのような印象を与えることができる。
【００６３】
さらに、内枠体部１７の外側端面２０は、４５度の角度ａに形成され、マジックミラーシートが備えられているため、ＬＥＤ１１より発せられて、内枠体部１７の外側端面２０に到達した光の一部は、パネル本体１４の表面側へ反射されることから、見る者に外側端面２０においてより強く発光している感を与えることができる。
【００６４】
ポスター掲示部本体部２４に掲示されたポスター２６は、ＬＥＤ２９を発光させることにより、ポスター２６の裏面側全体が発光する。ポスター掲示用パネル１０は、例えば、遊技場の入口付近に設置することにより、客の目を惹きつけて効果的に誘導することができる。
【００６５】
前記実施の形態においては、枠体部１２及びポスター掲示部１３は、マジックミラー部１８により連続して同一平面上に形成される例を説明したが、これに限定されることはなく、例えば、枠体部１２にのみマジックミラー部１８が設けられ、枠体部１２とポスター掲示部１３との間には、マジックミラー部１８の厚さ寸法分の段差が形成されても良い。
【００６６】
前記実施の形態においては、反射板部１９は、アルミ複合板に全反射のミラーシートを貼着して形成される例を説明したが、これに限定されることはなく、アルミ複合板の替わりに硬質樹脂板を用いても良く、全反射のミラーシートの替わりにマジックミラーシートを用いても良い。
【００６７】
前記実施の形態においては、反射用ミラー２１は、硬質塩化ビニルシートにマジックミラーシートを貼着して形成される例を説明したが、全反射タイプのミラーシートを貼着しても良く、マジックミラーシートであればコスト優位性があり、全反射タイプのミラーシートであればより高輝度な装飾とすることができる。
【００６８】
前記実施の形態においては、ポスター押え板部２５は、ネジ部３２によってポスター掲示部本体部２４に固定される例を説明したが、これに限定されることはなく、例えば、ポスター掲示部本体部２４の周縁に平面方向内方に向って開閉しうるクリップ体が枠状に設けられ、前記クリップ体によってポスター押え板部２５を挟持してポスター掲示部本体部２４に固定しても良い。
【産業上の利用可能性】
【００６９】
本考案に係るポスター掲示用パネルは、製造販売することにより、例えば遊技場などにおいて、宣伝効果を得るために用いることができるため、産業上の利用可能性を有している。
【符号の説明】
【００７０】
１０    ポスター掲示用パネル
１１    発光体（ＬＥＤ）
１２    枠体部
１３    ポスター掲示部
１４    パネル本体
１５    内側端面
１６    外枠体部
１７    内枠体部
１８    マジックミラー部
１９    反射板部
２０    外側端面
２１    反射用ミラー
２２    背面部
２３    支持部
２４    ポスター掲示部本体部
２５    ポスター押え板部
２６    ポスター
２７    導光板
２８    内枠体部の内側端面
２９    発光体（ＬＥＤ）
３０    スチレンシート
３２    ネジ部
３３    ネジ部頭部
３４    ヒンジ
３５    ネジ部胴部
３６    支持部の下端部
３７    パネル本体の下端部
３８    支持枠部
３９    ネジ穴部
４０    ネジ止め用孔部
【図１】
0003199342.tif 000003
【図２】
0003199342.tif 000004
【図３】
0003199342.tif 000005
【手続補正書】
【提出日】平成27年6月5日(2015.6.5)
【手続補正１】
【補正対象書類名】実用新案登録請求の範囲
【補正対象項目名】請求項５
【補正方法】変更
【補正の内容】
【請求項５】
前記パネル本体の背面部には、前記パネル本体を床面に立設状態に支持するための支持部が設けられていることを特徴とする請求項３に記載のポスター掲示用パネル。